(57)【特許請求の範囲】
【請求項１】
手持ち式双頭電熱シーラーにおいて、
シートであって、連結スロット、前挿入スロット、中央連結ロッド、後挿入スロット、第１置換素子を具えた、上記シート、
シールモジュールであって、該シートの該連結スロットに結合される連結部を具えた、上記シールモジュール、
プレスカバーであって、中央連結片、断熱ブロック、第２置換素子を具えた、上記プレスカバー、
保持ケースであって、上保持部材と下保持部材を具え、該プレスカバーが該上保持部材に結合され、該シート及び該シールモジュールが該下保持部材に結合された、上記保持ケース、
以上を包含し、該プレスカバーの該中央連結片の該シートの該中央連結ロッドとの結合により、該保持ケースの該上保持部材と該下保持部材を通り、該プレスカバーが選択的に揺動して該断熱ブロックを該シールモジュールに対して押し付けるか、或いは該プレスカバーの該第２置換素子を該シートの該第１置換素子に対して押し付け、
該第１置換素子はアンビルであり、該第２置換素子はブレードモジュールであることを特徴とする、手持ち式双頭電熱シーラー。
【請求項２】
請求項１記載の手持ち式双頭電熱シーラーにおいて、該シールモジュールは更にボトムカバー、二つの接触部材、スプリング、断熱ベース、少なくとも一つの加熱ワイヤ、及びトップカバーを具え、そのうち該ボトムカバーは該二つの接触部材を受ける二つの挿入スロットを具え、該スプリングは該ボトムカバーと該断熱ベースの間に介装され、該少なくとも一つの加熱ワイヤは該断熱ベースに跨設され、該トップカバーは開口を具え、該開口を通り該断熱ベースが延伸されることを特徴とする、手持ち式双頭電熱シーラー。
【請求項３】
請求項１記載の手持ち式双頭電熱シーラーにおいて、該上保持部材は、上前スロット、上中央スロット、上後スロットを具え、該断熱ブロックは該上前スロット内に、該中央連結片は該上中央スロット内に、該第２置換素子は該上後スロット内に、それぞれに配置されることを特徴とする、手持ち式双頭電熱シーラー。
【請求項４】
請求項２記載の手持ち式双頭電熱シーラーにおいて、該下保持部材は、下前スロット、下中央スロット、下後スロットを具え、該シールモジュールの該トップカバーは該下前スロット内に、該シートの該中央連結ロッドは該下中央スロット内に、該第１置換素子は該下後スロット内に、それぞれに配置されることを特徴とする、手持ち式双頭電熱シーラー。
【請求項５】
請求項１記載の手持ち式双頭電熱シーラーにおいて、該断熱ブロックを下から耐熱カバーシートが被覆したことを特徴とする、手持ち式双頭電熱シーラー。
【請求項６】
請求項１記載の手持ち式双頭電熱シーラーにおいて、該ブレードモジュールが第１組合せ片、ブレード、及び第２組合せ片を有し、該ブレードが第１組合せ片と第２組合せ片の間に介装されたことを特徴とする、手持ち式双頭電熱シーラー。
【請求項７】
請求項２記載の手持ち式双頭電熱シーラーにおいて、該シールモジュールが更に耐熱カバーシートと二つの位置決め板を有し、該耐熱カバーシートが該断熱ベースを被覆し、該二つの位置決め板は該少なくとも一つの加熱ワイヤを一決めするために設けられることを特徴とする、手持ち式双頭電熱シーラー。
【請求項８】
請求項１記載の手持ち式双頭電熱シーラーにおいて、該シートが更に、バッテリーカバーと電源を有し、該バッテリーカバーは該シートの下方に設けられて該シートを閉じることを特徴とする、手持ち式双頭電熱シーラー。
【請求項９】
請求項１記載の手持ち式双頭電熱シーラーにおいて、該保持ケースが弾性を有することを特徴とする、手持ち式双頭電熱シーラー。
【請求項１０】
請求項１記載の手持ち式双頭電熱シーラーにおいて、該保持ケースは上保持部材、下保持部材、該上保持部材と下保持部材の間に介装された連結素子を包含し、該保持ケースは硬質材料で形成されたことを特徴とする、手持ち式双頭電熱シーラー。
【請求項１１】
請求項１０記載の手持ち式双頭電熱シーラーにおいて、該上保持部材に一対の弾性板が設けられ、該一対の弾性板は該連結素子の上方に配置され、該プレスカバーが該上保持部材の上方に結合され、該シートが該下保持部材の下方に結合されたことを特徴とする、手持ち式双頭電熱シーラー。
【発明の詳細な説明】
【技術分野】
【０００１】
本発明は、手持ち式電熱シーラーに係り、特に、双頭を有し、そのうち一つの頭がブレードモジュールに、或いは、デュアル加熱ワイヤを具えたシールモジュールとされ、もう一つの頭が取り外し可能なシールモジュールとされた手持ち式双頭電熱シーラーに関する。
【背景技術】
【０００２】
一般に、手持ち式電熱シーラーはプラスチック包装袋を密封するのに用いられる。しかし、プラスチックバッグから商品を取り出すためにシールを切り離す際に、鋏を用意する必要がある。さらに、慣用の手持ち式電熱シーラーは１本のシールしか形成できず、このため厚いプラスチックバッグの密封を維持できない。
【発明の開示】
【発明が解決しようとする課題】
【０００３】
本発明の目的は、手持ち式双頭電熱シーラーを提供することにあり、そのうち一つの頭はブレードモジュールとされて、それによりプラスチック包装袋からシール部分を切り離すために鋏が必要であるという周知の電熱シーラーの不便を克服する。
【０００４】
本発明の別の目的は、手持ち式双頭電熱シーラーを提供することにあり、そのうち一つの頭はデュアル加熱ワイヤを具えたシールモジュールとされ、それにより、厚いプラスチックバッグに形成されたシールの強度を増す。
【０００５】
本発明の更なる目的は、手持ち式双頭電熱シーラーを提供することにあり、そのうちもう一方の頭は分離可能なシールモジュールとされ、それによりこのシールモジュールは、故障した時に新しいものに交換できる。
【課題を解決するための手段】
【０００６】
本発明によると、手持ち式双頭電熱シーラーは、シート、シールモジュール、プレスカバー、保持ケース、及びバッテリーカバーを包含する。該シートは連結スロット、前挿入スロット、中央連結ロッド、後挿入スロット、及び第１置換素子を有する。該前挿入スロットは前接触部材と結合され、該後挿入スロットは少なくとも一つの後接触部材と結合される。バッテリー収容部がシートの後側に形成されて該手持ち式双頭電熱シーラーの電源として働くバッテリーを収容する。該バッテリーカバーはシートの後方に設けられてシートを閉じる。
【０００７】
本発明によると、該シールモジュールはボトムカバー、二つの接触部材、スプリング、断熱ベース、加熱ワイヤ、及びトップカバーを有する。該ボトムカバーは、その後側に、該シートの該連結スロットと結合される連結部が設けられ、該ボトムカバーがそれにより該シートに着脱自在に結合される。該ボトムカバーはまたその後部内側に、二つの挿入スロットが設けられて、この二つの挿入スロットに前接触部材に電気的に接続された該二つの接触部材を収容する。該スプリングは該ボトムカバーと該断熱ベースの間に介装される。該加熱ワイヤは該断熱ベースに跨設され、該トップカバーは開口を具え、該開口を通り該断熱ベースが延伸される。
【０００８】
該プレスカバーは中央連結片、断熱ブロック、及び第２置換素子を有する。
【０００９】
さらに、保持ケースは上保持部材と下保持部材を具え、該上保持部材と該下保持部材は弾性素子として一つに整合され、例えばゴムで形成される。該上保持部材は上前スロット、上中央スロット、上後スロットを具えている。該断熱ブロックは該上前スロットに配置され、該上中央スロット内に該中央連結片が配置され、該上後スロット内に該第２置換素子が配置される。該下保持部材は、下前スロット、下中央スロット、及び下後スロットを具えている。該シールモジュールの該トップカバーは該下前スロットに配置され、該下中央スロットに該シートの該中央連結ロッドが配置され、該下後スロットに該第１置換素子が配置される。
【００１０】
該プレスカバーは該上保持部材の上方に結合され、該シート及び該シールモジュールは組合せ後に該下保持部材の下方に結合される。
【００１１】
本発明の別の実施例では、保持ケースは上保持部材、連結素子、下保持部材を具え、該上保持部材、該連結素子、及び該下保持部材は三つの独立した部品である。該上保持部材に上前スロット、上中央スロット、及び上後スロットが形成される。これにより、断熱ブロックは該上前スロットに配置され、該中央連結片は該上中央スロット及び連結素子の連結スロットに配置される。該下保持部材に下前スロット、下中央スロット、及び下後スロットが設けられる。該シールモジュールの該トップカバーは該下前スロットに配置され、該シートの該中央連結ロッドは該下中央スロットに配置され、アンビルが該下後スロットに配置される。該連結素子は該上保持部材と該下保持部材の間に介装され、該連結素子の下端は該下保持部材の該下中央スロットに固定される。
【００１２】
本発明のさらに別の実施例によると、プレスカバーと上保持部材が一つに整合されて形成される。弾性連結素子はその下側が下保持部材の下中央スロットに固定される。或いは、プレスカバーと上保持部材が一つに整合されて形成され、下保持部材と硬質連結素子が一つに整合されて形成される。
【００１３】
本発明によると、該中央連結片と該中央連結ロッドの結合により、該プレスカバーは揺動して選択的に該断熱ブロックを該シールモジュールに対して押圧するか、或いは第２置換素子を第１置換素子に対して押圧する。該第１置換素子及び該第２置換素子は各種機能の必要に応じて適合するモジュール素子に置換可能である。ゆえに、本発明によると、シールモジュールが、例えば使い物にならなくなって新しいシールモジュールが必要となった時に、手持ち式双頭電熱シーラーに着脱自在に取り付けられて便利であるのみならず、電熱シーラーに弾性的な使用と機能が付与されて、これにより各種必要に対応できる。
【００１４】
本発明によると、該第１置換素子はアンビルとされ得て、それに対応して第２置換素子はブレードモジュールとされ得る。該ブレードモジュールはセラミック、スチール、或いは同等の材料で製造され得る。或いは、該第１置換素子がデュアル加熱ワイヤを具えたシールモジュールに変更され、第２置換素子は断熱ブロックとされ得る。
【発明の効果】
【００１５】
ゆえに、本発明によると、手持ち式双頭電熱シーラーは、双頭のうちの一つの頭が選択的にブレードモジュール或いはデュアル加熱ワイヤを具えたシールモジュールとされ得て、もう一方が、それに応じて分離可能なシールモジュールとされ得る。本発明は従来の電熱シーラーの、プラスチックバッグから以前のシール部分を切り離すために鋏が必要であるという不便さを克服する。或いは、本発明によると、デュアル加熱ワイヤを具えたシールモジュールを使用することで、厚いプラスチックバッグをシールする際に、プラスチックバッグに形成されるシールを強化できる。
【発明を実施するための最良の形態】
【００１６】
図１は本発明の手持ち式双頭電熱シーラーの第１実施例を示し、それは、シート１、シールモジュール２、プレスカバー４、保持ケース３、及びバッテリーカバー２０を有する。該シート１は連結スロット１１、前挿入スロット１２、中央連結ロッド１３、後挿入スロット１４、及び第１置換素子１５（例えばアンビル）を含む。該前挿入スロット１２は前接触部材１６と結合され、該後挿入スロット１４は後接触部材１７と結合される。バッテリー収容部１０が該シート１の後側に形成されて、該手持ち式双頭電熱シーラーの電源として働くバッテリーを収容する。該バッテリーカバー２０は該シート１の下に設けられてシート１を閉じる。
【００１７】
該シールモジュール２はボトムカバー２１、二つの接触部材２２、スプリング２４、断熱ベース２５、加熱ワイヤ２６、及びトップカバー２７を有する。該ボトムカバー２１は、その後側に、該シート１の該連結スロット１１と結合される連結部２１１が設けられ、該ボトムカバー２１がそれにより該シート１に着脱自在に結合される。該ボトムカバー２１に上向きに延伸された三つの柱状締め具２３が形成され、また、後部内側に、二つの挿入スロット２１２が設けられて、この二つの挿入スロット２１２に前接触部材１６に電気的に接続された二つの後接触部材２２を収容する。該スプリング２４は該ボトムカバー２１と該断熱ベース２５の間に介装される。該加熱ワイヤ２６は該断熱ベース２５に跨設され、該トップカバー２７は開口２７１を具え、該開口２７１を通り該断熱ベース２５が延伸される。さらに、該トップカバー２７は下向きに延伸された三つの突起２７２を有し、各該突起２７２に、該柱状締め具２３に対応する連結孔２７３が設けられている。そして、該トップカバー２７はボトムカバー２１と、該ボトムカバー２１の該三つの柱状締め具２３が該トップカバー２７の該三つの連結孔２７３に挿入されることにより結合される。
【００１８】
図２は本発明の第１実施例の分解図であり、それに示されるように、該シールモジュール２はさらに耐熱カバーシート２６１と二つの位置決め板２５１を具えている。該位置決め板２５１は金属で形成され、該加熱ワイヤ２６を位置決めするのみならず、バッテリー収容部１０から電源を伝導してプラスチックバッグをシールできるようにする。該耐熱カバーシート２６１は断熱ベース２５により被覆される。
【００１９】
該プレスカバー４は中央連結片４１、断熱ブロック４２、及び第２置換素子４３を有する。
【００２０】
さらに、保持ケース３は上保持部材３２と下保持部材３１を具え、該上保持部材３２と該下保持部材３１は弾性素子として一つに整合され、例えばゴムで形成される。該上保持部材３２は上前スロット３２１、上中央スロット３２２、上後スロット３２３を具えている。該断熱ブロック４２は該上前スロット３２１に配置され、該上中央スロット３２２内に該中央連結片４１が配置され、該上後スロット３２３内に該第２置換素子４３が配置される。
【００２１】
該下保持部材３１は、下前スロット３１１、下中央スロット３１２、及び下後スロット３１３を具えている。該シールモジュール２の該トップカバー２７は該下前スロット３１１に配置され、該下中央スロット３１２に該シート１の該中央連結ロッド１３が配置され、該下後スロット３１３に該第１置換素子１５が配置される。こうして、該プレスカバー４が完全に該上保持部材３２の上方に結合され、該シート１及び該シールモジュール２は組合せ後に該下保持部材３１の下方に結合される。
【００２２】
該中央連結ロッド１３との該中央連結片４１の結合により、該プレスカバー４は選択的に揺動してシールモジュール２に対して該断熱ブロック４２を押圧するか、該第１置換素子１５に対して該第２置換素子４３を押圧する。該第１置換素子１５及び第２置換素子４３は各種機能に対する要求に応じて適合するモジュール素子に置き換え可能である。ゆえに、本発明によると、シールモジュール２が手持ち式電熱シーラーに、着脱可能に取付られて便利であるのみならず、弾性的な使用及び機能が電熱シーラーに付与されて各種要求に対応できる。
【００２３】
さらに、図３及び４の、本発明の手持ち式双頭電熱シーラーの第１及び第２実施例の断面図には、第１置換素子１５、第２置換素子４３の置換の詳細が示されている。
【００２４】
使用者が置換素子を、シールカット機能を有するものに交換する必要がある時、第１置換素子１５はアンビル５１に交換され、それに対応して第２置換素子４３はブレードモジュール５に交換される。該ブレードモジュール５は、第１組合せ片５１１、ブレード５１２、第２組合せ片５１３を含み、該ブレード５１２は該第１組合せ片５１１と第２組合せ片５１３の間に介装され、こうして以前のシール部分を切除可能である。
【００２５】
或いは、置換素子がシール強度強化或いは厚いプラスチックバッグのシールのためのものに置換されるなら、第１置換素子１５はデュアル加熱ワイヤを具えたシールモジュール６に置換され、第２置換素子は断熱ブロック８に置換される。
【００２６】
従って、本発明の手持ち式双頭電熱シーラーは、双頭のうち一方がブレードモジュール或いはデュアル加熱ワイヤを具えたシールモジュールに交換可能で、それに対応してもう一方が着脱自在のシールモジュールとされ得る。本発明によると、従来の電熱シーラーの、プラスチックバッグから以前のシール部分を切り離すのに別に鋏が必要である不便を克服する。また、デュアル加熱ワイヤを具えたシールモジュールを、厚いプラスチック袋をシールする時にシールを強化するために選択的に使用可能である。
【００２７】
さらに、図５の本発明の第２実施例のシールモジュールの分解図に示されるように、デュアル加熱ワイヤ６３を具えたシールモジュール６は耐熱カバーシート６４と二つの位置決め素子６２を包含し、該耐熱カバーシート６４は断熱ベース６１を被覆し、二つの位置決め素子６２は該デュアル加熱ワイヤ６３を位置決めするのに使用される。
【００２８】
さらに、図６の、本発明の第３実施例の手持ち式双頭電熱シーラーの分解図に示されるように、該第３実施例は第１実施例に類似の構造を有し、異なるところは、そのシート１とシールモジュール２のボトムカバー２１が一つの部品として、例え射出成形により形成され、第１実施例では、シート１とシールモジュール２のボトムカバー２１は別個の部品とされていた。ゆえに、この第３実施例では、ボトムカバー２１を除き、該シールモジュール２は二つの接触素子２２、スプリング２４、断熱ベース２５、加熱ワイヤ２６、及びトップカバー２７のみを包含する。言い換えると、第１実施例では、シールモジュール２がシート１に、連結部２１１の連結スロット１１との結合により結合されるが、この第３実施例では、シールモジュール２はシート１に、シート１の三つの柱状締め具１９がトップカバー２７の三つの突起の三つの連結孔２７３に挿入される方式により、結合される。
【００２９】
上述したように、該保持ケース３は、上保持部材３２と下保持部材３１を包含し、該保持ケース３は一体成形弾性素子であり、これによりプレスカバー４が選択的に、シーソーのように揺動して、断熱ベース４２をシールモジュール２に対して押圧するか、或いは、第２置換素子４３を第１置換素子１５に対して押圧する。同様に、一体保持ケース３は複数のパーツに分離可能であり、これについては以下に述べるとおりであり、しかし、もとの機能は維持する。
【００３０】
図７の本発明の第４実施例の手持ち式双頭電熱シーラーの分解図に示されるように、分離保持ケース３ａは、上保持部材３２ａ、連結素子３３ａ、下保持部材３１ａを具え、該上保持部材３２ａ、該連結素子３３ａ、及び該下保持部材３１ａは三つの独立した部品である。該上保持部材３２ａ及び該下保持部材３１ａは硬質材料、例えば射出成形プラスチックで形成され、該連結素子３３ａは弾性材料、例えばゴムで形成される。ゆえに、保持ケース３ａは該連結素子３３ａの弾性によりシーソーのように動作し得る。
【００３１】
該上保持部材３２ａに上前スロット３２１ａ、上中央スロット３２２ａ、及び上後スロット３２３ａが形成される。これにより、断熱ブロック４２ａは該上前スロット３２１ａに配置され、該中央連結片４１ａは該上中央スロット３２２ａ及び連結素子３３ａの連結スロット３３１ａに配置される。さらに、ブレードモジュール５ａが該上後スロット３２３ａに配置され、該ブレードモジュール５ａは第１組合せ片５１１ａ、ブレード５１２ａ、及び、第２組合せ片５１３ａを包含し、該ブレード５１２ａは第１組合せ片５１１ａと第２組合せ片５１３ａの間に介装される。
【００３２】
該アンビル１５（第１置換素子）及びブレードモジュール５ａ（第２置換素子）は対向するように配置され、これによりブレード５１２ａがアンビルに向けて押圧されることで以前のシールを切除できる。言い換えると、使用時には、ブレードモジュール５ａとアンビル１５は本発明の機能に影響を与えることなく、相互に位置を交換可能である。
【００３３】
さらに、該下保持部材３１ａに下前スロット３１１ａ、下中央スロット３１２ａ、及び下後スロット３１３ａが設けられる。該シールモジュール２の該トップカバー２７は該下前スロット３１１ａに配置され、該シート１の該中央連結ロッド１３は該下中央スロット３１２ａに配置され、アンビル１５が該下後スロット３１３ａに配置される。
【００３４】
該連結素子３３ａは該上保持部材３２ａと該下保持部材３１ａの間に介装され、該連結素子３３ａの下端は該下保持部材３１ａの該下中央スロット３１２ａに固定される。
【００３５】
プレスカバー４ａは、そのエッジに沿って下方に、該上保持部材３２ａの上端周囲に配置された複数の連結孔３２４ａと結合するための連結突起４３ａを具え、これにより該プレスカバー４ａは保持ケース３ａに固定可能である。該プレスカバー４ａの中央連結片４１ａは上保持部材３２ａ及び連結素子３３ａに配置される。該シート１の該中央連結ロッド１３、該シートのアンビル１５、及びシールモジュール２は下保持部材３１ａに配置される。
【００３６】
中央連結片４１ａの中央連結ロッド１３との結合により、該プレスカバー４ａは選択的に揺動して該断熱ブロック４２ａをシールモジュール２に対して押圧するか、或いは該ブレードモジュール５ａをアンビル１５に対して押圧する。こうして、以前にシールされたプラスチックバッグはブレード５１２ａにより切断され、物品が再びプラスチックバッグに入れられた後にシールモジュール２でプラスチックバッグを再度シールできる。ゆえに、同一のプラスチックバッグを重複して使用でき、環境保護の目的が達成される。
【００３７】
本発明によると、プレスカバー４ａ、上保持部材３２ａ、下保持部材３１ａ、及び連結素子３３ａは個別に形成され、それから一つに組み合わされる。そうでなければ、以下の実施例のように、図７の第４実施例に基づいて、機能を変更することなく、プレスカバー４ａ及び保持ケース３ａのみを変更した実施例がある。
【００３８】
図８は本発明の第５実施例のプレスカバーと保持ケースの分解図であり、プレスカバー４ｂ及び硬質上保持部材３２ｂが一つの部品として整合されている。弾性連結素子３３ｂはその下側が、硬質下保持部材３１ｂの下中央スロット３１２ｂに固定される。
【００３９】
図９は本発明の第６実施例を示し、上保持部材３２ｃ、下保持部材３１ｃ、及び連結素子３３ｃが上述の第４実施例と同様に個別に形成されるが、上保持部材３２ｃ、下保持部材３１ｃ、及び連結素子３３ｃは全て硬質材料、例えばプラスチックで形成される。該連結素子３３ｃはその下側が、下保持部材３１ｃの下中央スロット３１２ｃに取付られる。プレスカバー４ｃはそのエッジに沿って下方に上保持部材３２ｃの上端周囲に設けられた複数の連結孔３２４ｃと結合するための複数の連結突起４３ｃが設けられている。
【００４０】
上保持部材３２ｃ、下保持部材３１ｃ、及び連結素子３３ｃが全て硬質であるので、保持ケース３ｃがシーソー動作を維持するためには、上保持部材３２ｃに、縦側に配置されたスロット３６ｃにより取り付けられる弾性シート３５ｃを設けるのがよい。特に、二つの弾性シート３５ｃが縦方向に、上保持部材３２ｃに沿って延伸され、連結素子３３ｃの上方に配置される。ゆえに、プレスカバー４ｃの一端が押し下げられる時、弾性シート３５ｃの一つが対応する上保持部材３２ｃ及び連結素子３３ｃと共に下向きに傾く。
【００４１】
図１０は本発明の第７実施例を示し、保持ケース３ｄにおいて、硬質下保持部材３１ｄ及び硬質連結素子３３ｄは一つに整合されて形成される。同様に、プレスカバー４ｄは、そのエッジに沿って下側に、上保持部材３２ｄの上端周囲に配された複数の連結孔３２４ｄと結合するための複数の連結突起４３ｄが設けられている。同様に、上保持部材３２ｄ、下保持部材３１ｄ、及び連結素子３３ｄは硬質材料で形成され、二つの弾性シート３５ｄは、上述したように、保持ケース３ｄにシーソー動作を維持させるために必要である。
【００４２】
さらに、図１１は本発明の第８実施例を示し、硬質プレスカバー４ｅ及び硬質上保持部材３２ｅが一つに整合されて形成される。そして、同様に、硬質下保持部材３１ｅ及び硬質連結素子３３ｅは一つに整合されて形成される。
【００４３】
この実施例では、上保持部材３２ｅ、下保持部材３１ｅ及び連結素子３３ｅは全て硬質材料で形成されるため、保持ケース３ｅにシーソー動作を維持させるために二つの弾性シート３５ｅが必要である。
【００４４】
図１２は、本発明の第９実施例を示し、硬質プレスカバー４ｆと硬質上保持部材３２ｆが一つに整合されて形成される。及び硬質連結素子３３ｆは、その下側が、下保持部材３１ｆの下中央スロット３１２ｆに固定される。
【００４５】
上保持部材３２ｆ、下保持部材３１ｆ及び連結素子３３ｆが全て硬質材料で形成されるため、保持ケース３ｆにシーソー動作を維持させるために二つの弾性シート３５ｆが必要である。
【００４６】
本発明はその好ましい実施例において説明されたが、他の可能な修飾或いは変更を本発明の特許請求の範囲から逸脱することなく行なうことが可能である。
【図面の簡単な説明】
【００４７】
【図１】本発明の第１実施例の手持ち式双頭電熱シーラーの分解図である。
【図２】本発明の第１実施例のシールモジュールの部分分解図である。
【図３】本発明の第１実施例の手持ち式双頭電熱シーラーの断面図である。
【図４】本発明の第２実施例の手持ち式双頭電熱シーラーの断面図である。
【図５】本発明の第２実施例のシールモジュールの部分分解図である。
【図６】本発明の第３実施例の手持ち式双頭電熱シーラーの分解図である。
【図７】本発明の第４実施例の手持ち式双頭電熱シーラーの分解図である。
【図８】本発明の第５実施例の手持ち式双頭電熱シーラーのプレスカバーと保持ケースの分解図である。
【図９】本発明の第６実施例の手持ち式双頭電熱シーラーのプレスカバーと保持ケースの分解図である。
【図１０】本発明の第７実施例の手持ち式双頭電熱シーラーのプレスカバーと保持ケースの分解図である。
【図１１】本発明の第８実施例の手持ち式双頭電熱シーラーのプレスカバーと保持ケースの分解図である。
【図１２】本発明の第９実施例の手持ち式双頭電熱シーラーのプレスカバーと保持ケースの分解図である。
【図１】
0005044505.tif 000002
【図２】
0005044505.tif 000003
【図３】
0005044505.tif 000004
【図４】
0005044505.tif 000005
【図５】
0005044505.tif 000006
【図６】
0005044505.tif 000007
【図７】
0005044505.tif 000008
【図８】
0005044505.tif 000009
【図９】
0005044505.tif 000010
【図１０】
0005044505.tif 000011
【図１１】
0005044505.tif 000012
【図１２】
0005044505.tif 000013